(57)【要約】【課題】貨幣釣銭機と販売データ処理機とを備え、入金確定モードで運用される代金決済システムにおいて、預り金投入後の通信途絶時に預り金貨幣を顧客に返却可能とする。【解決手段】釣銭機１Ａ，１Ｂの制御ユニットＣ１，Ｃ２は、預り金投入後のデータ処理機Ｔとの通信途絶時には、預り金データに基づく預り金貨幣の総額と同額分の返却貨幣を、所定の返却条件に応じて放出部１１６，２１６より放出させる制御を行う。例えば、各釣銭機１Ａ，１Ｂにおいて、直接手で操作可能な手動スイッチと、特定の鍵でのみ操作可能な鍵スイッチの両者の操作があったことを返却条件とする。【選択図】図１
2007219916.tif 000002
【特許請求の範囲】
【請求項１】
貨幣釣銭機と販売データ処理機とを備えた代金決済システムであって、
（ａ）前記貨幣釣銭機は、
（a1）外部から投入された貨幣を受け入れる貨幣受入部と、
（a2）この受入部から受け入れた受入貨幣の金種を識別する貨幣識別手段と、
（a3）この識別手段による識別結果に応じて、前記受入貨幣を金種別に収納する貨幣収納部と、
（a4）この収納部から取り出された貨幣を外部に放出するための貨幣放出部と、
（a5）前記データ処理機からの出金指示に応じて、前記収納部に収納されている貨幣を取り出して前記放出部より放出させる釣銭出金モードの制御を行う釣銭機制御部と、
を備え、
（ｂ）前記データ処理機は、
（b1）代金データを入力するためのデータ入力手段と、
（b2）前記釣銭機制御部と通信接続された処理機制御部と、
を備え、
前記釣銭機制御部は、前記識別手段による識別結果に基づいて、前記受入部より投入された顧客からの預り金貨幣についての預り金データを記憶すると共に、この預り金データを前記処理機制御部へ送信し、
前記処理機制御部は、入力された前記代金データと、送信された前記預り金データとに基づいて釣銭金額を算出し、当該金額分の釣銭貨幣を出金すべき旨の出金指示を前記釣銭機制御部へ送信するように構成されると共に、
前記釣銭機制御部はさらに、前記預り金貨幣の投入後で前記出金指示の送信前に前記処理機制御部との通信が途絶えたときには、前記預り金データに基づく前記預り金貨幣の総額と同額分の返却貨幣を、所定の返却条件に応じて前記放出部より放出させる、預り金返却モードの制御を行うように構成されている、ことを特徴とする決済システム。
【請求項２】
前記釣銭機制御部は、前記預り金返却モードにおいて、前記通信の途絶えた状態が所定時間継続したことを前記返却条件とする、ことを特徴とする請求項１記載の決済システム。
【請求項３】
（ａ）前記貨幣釣銭機は、
（a6）直接手で操作可能な手動スイッチと、
（a7）特定の鍵でのみ操作可能な鍵スイッチと、
をさらに備え、
前記釣銭機制御部は、前記預り金返却モードにおいて、前記手動スイッチと前記鍵スイッチの両者の操作があったことを前記返却条件とする、ことを特徴とする請求項１記載の決済システム。
【請求項４】
前記釣銭機制御部は、前記預り金返却モードにおいて、前記返却貨幣の放出後に当該返却貨幣に対応する前記預り金データを消去するように構成されている、ことを特徴とする請求項１〜３のいずれかに記載の決済システム。
【請求項５】
前記貨幣釣銭機は、紙幣釣銭機と硬貨釣銭機の少なくとも一方である、ことを特徴とする請求項１〜４のいずれかに記載の決済システム。
【発明の詳細な説明】
【技術分野】
【０００１】
本発明は、互いに通信接続された貨幣釣銭機と販売データ処理機（例えばＰＯＳレジスタ）とを備えた代金決済システムに関する。
【背景技術】
【０００２】
上記のような代金決済システムとしては、例えば特許文献１に記載されたものがある。すなわち、特許文献１には、互いに通信接続された貨幣釣銭機と販売データ処理機（ＰＯＳレジスタ）とを備えた代金決済システムが記載されている。このような釣銭機を含む代金決済システムは一般的に、出金優先モードと入金確定モードのいずれかで運用される。
【０００３】
まず、出金優先モードとは、現金管理の厳正化よりも客捌きの方を重視して、顧客からの預り金貨幣の入金確定よりも釣銭貨幣の出金の方を先に行うようにした運用モードである。具体的には、まず顧客からの預り金貨幣を係員が目視で確認して、その金額を販売データ処理機に入力する。そして、入力された金額に基づいてデータ処理機より送信される出金指示に応じて、釣銭機から釣銭貨幣が出金される。その後に、係員が預り金貨幣を釣銭機へ投入して、事後的に入金を確定させる。
【０００４】
一方、入金確定モードとは、客捌きよりも現金管理の厳正化の方を重視して、顧客からの預り金貨幣の入金が確定してから釣銭貨幣の出金を行うようにした運用モードである。具体的には、まず顧客からの預り金貨幣を係員が釣銭機へ投入すると、釣銭機から販売データ処理機に預り金データが送信される。データ処理機は送信された預り金データに基づいて、釣銭機に出金指示を送信する。そして、データ処理機より送信される出金指示に応じて、釣銭機から釣銭貨幣が出金される。
【特許文献１】特開２００５−４３４６号公報
【発明の開示】
【発明が解決しようとする課題】
【０００５】
上記のような入金確定モードで運用される代金決済システムには、次のような問題点がある。すなわち、何らかの原因で、貨幣釣銭機への預り金貨幣の投入後で販売データ処理機による出金指示の送信前に、釣銭機とデータ処理機との間の通信が途絶えてしまった場合（以下、省略して「預り金投入後の通信途絶時」ともいう）には、代金決済を行うことができなくなる。このため、代金決済を中止して預り金貨幣を顧客に返却すべきであるが、既に預り金貨幣を釣銭機に投入してしまっているため返却できないという問題がある。
【０００６】
本発明は、このような点を考慮してなされたものであり、貨幣釣銭機と販売データ処理機とを備え、入金確定モードで運用される代金決済システムにおいて、預り金投入後の通信途絶時に、顧客に対して預り金貨幣を実質的に返却可能とすることを目的とする。
【課題を解決するための手段】
【０００７】
上記課題を解決するために、本発明は、貨幣釣銭機と販売データ処理機とを備えた代金決済システムであって、
（ａ）前記貨幣釣銭機は、
（a1）外部から投入された貨幣を受け入れる貨幣受入部と、
（a2）この受入部から受け入れた受入貨幣の金種を識別する貨幣識別手段と、
（a3）この識別手段による識別結果に応じて、前記受入貨幣を金種別に収納する貨幣収納部と、
（a4）この収納部から取り出された貨幣を外部に放出するための貨幣放出部と、
（a5）前記データ処理機からの出金指示に応じて、前記収納部に収納されている貨幣を取り出して前記放出部より放出させる釣銭出金モードの制御を行う釣銭機制御部と、
を備え、
（ｂ）前記データ処理機は、
（b1）代金データを入力するためのデータ入力手段と、
（b2）前記釣銭機制御部と通信接続された処理機制御部と、
を備え、
前記釣銭機制御部は、前記識別手段による識別結果に基づいて、前記受入部より投入された顧客からの預り金貨幣についての預り金データを記憶すると共に、この預り金データを前記処理機制御部へ送信し、
前記処理機制御部は、入力された前記代金データと、送信された前記預り金データとに基づいて釣銭金額を算出し、当該金額分の釣銭貨幣を出金すべき旨の出金指示を前記釣銭機制御部へ送信するように構成されると共に、
前記釣銭機制御部はさらに、前記預り金貨幣の投入後で前記出金指示の送信前に前記処理機制御部との通信が途絶えたときには、前記預り金データに基づく前記預り金貨幣の総額と同額分の返却貨幣を、所定の返却条件に応じて前記放出部より放出させる、預り金返却モードの制御を行うように構成されている、ことを特徴とする決済システムを提供するものである。
【０００８】
この決済システムによれば、預り金投入後の通信途絶時には、預り金返却モードにおいて、預り金データに基づく預り金貨幣の総額と同額分の返却貨幣を貨幣釣銭機の放出部より放出させ、これを顧客に返却することができる。
【０００９】
これにより、入金確定モードで運用される代金決済システムにおいて、預り金投入後の通信途絶時に、顧客に対して預り金貨幣を実質的に返却可能とすることができる。
【００１０】
この決済システムにおいて、前記釣銭機制御部は、前記預り金返却モードにおいて、前記通信の途絶えた状態が所定時間継続したことを前記返却条件とすることができる。これにより、係員や管理者の手を煩わせることなく、返却貨幣を自動的に放出させることができる。
【００１１】
この決済システムにおいて、（ａ）前記貨幣釣銭機は、
（a6）直接手で操作可能な手動スイッチと、
（a7）特定の鍵でのみ操作可能な鍵スイッチと、
をさらに備え、
前記釣銭機制御部は、前記預り金返却モードにおいて、前記手動スイッチと前記鍵スイッチの両者の操作があったことを前記返却条件とすることもできる。
【００１２】
これにより、返却貨幣を放出させるための操作をより厳格に管理することができる。
【００１３】
前記釣銭機制御部は、前記預り金返却モードにおいて、前記返却貨幣の放出後に当該返却貨幣に対応する前記預り金データを消去するように構成されていることが好ましい。
【００１４】
前記貨幣釣銭機は、紙幣釣銭機と硬貨釣銭機の少なくとも一方とすることができる。すなわち、紙幣釣銭機と硬貨釣銭機のいずれか一方だけを用いてもよく、紙幣釣銭機と硬貨釣銭機の両方を用いてもよい。
【発明を実施するための最良の形態】
【００１５】
次に、図面を参照して本発明の一実施形態について説明する。図１及び図２は本発明による代金決済システムの実施の形態を示す図である。以下、本実施形態の構成、動作、作用効果、および変形例について順次説明する。
【００１６】
［構  成］
（１）全体構成
図１には、本発明による代金決済システムの一実施形態として、硬貨釣銭機１Ａ、紙幣釣銭機１Ｂ、および販売データ処理機Ｔの組合せからなり、店員等の係員によって操作される代金決済システムが示されている。
【００１７】
硬貨釣銭機１Ａおよび紙幣釣銭機１Ｂは、それぞれ制御ユニット（釣銭機制御部）Ｃ１，Ｃ２を備えており、これらの制御ユニットＣ１，Ｃ２同士が互いに通信接続されている。販売データ処理機Ｔは、例えばＰＯＳレジスタ（販売時点管理機能を有する金銭登録機）として構成され、紙幣釣銭機１Ｂの制御ユニットＣ２と通信接続される制御ユニット（処理機制御部）Ｃ３を備えている。
【００１８】
データ処理機Ｔには、操作部ｔ１および表示部ｔ２が設けられている。その操作部ｔ１は、代金データを入力するためのデータ入力手段としてのテンキー等の各種操作キーを含んでいる。なお、代金データを入力するためのデータ入力手段としては別途、バーコードリーダ等が備えられていてもよい。
【００１９】
硬貨釣銭機１Ａと紙幣釣銭機１Ｂは、それぞれ：
外部から投入された貨幣（硬貨と紙幣）を受け入れる貨幣受入部（硬貨受入口１１４と紙幣受入口２１４）；
この受入部から受け入れた受入貨幣の金種を識別する貨幣識別手段（硬貨識別センサ１０１と紙幣識別センサ２０１）；
この識別手段による識別結果に応じて、受入貨幣を金種別に収納する貨幣収納部（硬貨収納部１０６と紙幣収納部２０６）；
この貨幣収納部に収納されている貨幣を外部に放出するための貨幣放出部（硬貨取出口１１６と紙幣取出口２１６）；
直接手で操作可能な手動スイッチａ１，ｂ１（図２）；および
特定の鍵でのみ操作可能な鍵スイッチａ２，ｂ２（図２）を備えている。
【００２０】
（1-1）釣銭出金モードに関する構成
各釣銭機１Ａ，１Ｂの制御ユニットＣ１，Ｃ２は、通常は必要に応じて顧客からの預り金貨幣の入金と釣銭貨幣の出金とを行う「釣銭出金モード（入金確定モード）」の制御を行うように構成されている。
【００２１】
具体的には、各釣銭機１Ａ，１Ｂの制御ユニットＣ１，Ｃ２は、それぞれ識別手段１０１，２０１による識別結果に基づいて、受入部１１４，２１４より投入された顧客からの預り金貨幣についての（金種および枚数と総額の少なくとも一方を含む）預り金データを記憶すると共に、この預り金データをデータ処理機Ｔの制御ユニットＣ３へ送信する。
【００２２】
データ処理機Ｔの制御ユニットＣ３は、上記データ入力手段によって入力された代金データと、各釣銭機１Ａ，１Ｂから送信された預り金データとに基づいて釣銭金額を算出し、当該金額分の釣銭貨幣を出金すべき旨の出金指示を、各釣銭機１Ａ，１Ｂの制御ユニットＣ１，Ｃ２へ送信する。
【００２３】
そして、各釣銭機１Ａ，１Ｂの制御ユニットＣ１，Ｃ２は、データ処理機Ｔからの出金指示に応じて、それぞれ収納部１０６，２０６に収納されている貨幣を取り出して放出部１１６，２１６より放出させる制御を行う。
【００２４】
（1-2）預り金返却モードに関する構成
各釣銭機１Ａ，１Ｂの制御ユニットＣ１，Ｃ２はさらに、預り金貨幣の投入後で上記出金指示の送信前にデータ処理機Ｔの制御ユニットＣ３との通信が途絶えたとき（預り金投入後の通信途絶時）には、預り金データに基づく預り金貨幣の総額と同額分の返却貨幣を、所定の返却条件に応じて（収納部１０６，２０６から取り出して）放出部１１６，２１６より放出させる「預り金返却モード」の制御を行うように構成されている。
【００２５】
さらに、各釣銭機１Ａ，１Ｂの制御ユニットＣ１，Ｃ２は、上記返却貨幣の放出後、当該返却貨幣に対応する（記憶済みの）預り金データを消去するように構成されている。なお、各釣銭機１Ａ，１Ｂの制御ユニットＣ１，Ｃ２に記憶される預り金データが預り金貨幣の金種および枚数を含む場合には、預り金貨幣と金種および枚数まで一致する返却貨幣を放出させることも可能である。
【００２６】
本実施形態では、預り金返却モードにおいて、各釣銭機１Ａ，１Ｂの手動スイッチａ１，ｂ１と鍵スイッチａ２，ｂ２の両者の操作が（例えば同時に）あったことを返却条件としている。なお、各釣銭機１Ａ，１Ｂのスイッチａ１，ａ２；ｂ１，ｂ２の操作で当該釣銭機１Ａ，１Ｂの返却条件をそれぞれ独立して満たすように構成してもよく、いずれか一方の釣銭機１Ａ，１Ｂのスイッチａ１，ａ２；ｂ１，ｂ２の操作で両方の釣銭機１Ａ，１Ｂの返却条件を同時に満たすように構成してもよい。
【００２７】
以下、硬貨釣銭機１Ａおよび紙幣釣銭機１Ｂの構成について、それぞれ具体的に説明する。
【００２８】
（２）硬貨釣銭機
図１および図２に示すように、硬貨釣銭機１Ａは、前部上面に操作・表示部１１２（図２）を有する筐体１１０を備えている。その操作・表示部１１２には、手動スイッチａ１（例えばリセットキー）が配置されている。筐体１１０の前部には、硬貨受入口１１４、硬貨取出口１１６、および鍵スイッチａ２（図２）が設けられている。
【００２９】
また、図１に示すように、受入口１１４から受け入れた硬貨を一層一列状態で繰り入れるための硬貨繰入機構１０２が備えられている。繰入機構１０２の後方には、この繰入機構１０２によって繰り入れられた硬貨を搬送する硬貨搬送路１０３が延びている。この搬送路１０３の途中には、硬貨の金種等を識別する硬貨識別センサ１０１と、後述するリジェクト硬貨等を排出するための硬貨排出部１０９とが設けられている。
【００３０】
排出部１０９の下方には、排出されたリジェクト硬貨等を収納する機内収納箱１０４が、筐体１１０に対して着脱自在に取り付けられている。また、筐体１１０に対する機内収納箱１０４の脱着を検知する脱着センサＳが設けられている。
【００３１】
硬貨搬送路１０３の下流側には、硬貨を金種によって選別する金種選別部１０５が設けられている。また、選別部１０５によって選別された硬貨を金種別に収納する硬貨収納部１０６と、この硬貨収納部１０６に収納された硬貨を選択的に繰り出す硬貨繰出機構１０８とが備えられている。繰出機構１０８によって繰り出された硬貨は、取出口１１６に放出されるようになっている。硬貨収納部１０６から回収した回収硬貨も、同様にして取出口１１６に放出されるようになっている。
【００３２】
以上の繰入機構１０２、排出部１０９、選別部１０５、収納部１０６および繰出機構１０８等の具体的な構成としては周知ないし公知のものを用いることができるので、詳細な説明は省略する。
【００３３】
（３）紙幣釣銭機
図１に示す紙幣釣銭機１Ｂは、筐体２１０と、この筐体２１０内の略中央部に設けられた環状の周回搬送路２０３ａとを備えている。また、筐体２１０内には、紙幣繰込ユニット２０２、紙幣収納部２０６、紙幣放出ユニット２０８、出金リジェクト部２０４および紙幣回収カセット２０７が、周回搬送路２０３ａの外周を取り囲むようにして配置されている。
【００３４】
また、繰込ユニット２０２、各収納部２０６、放出ユニット２０８、出金リジェクト部２０４および回収カセット２０７と、周回搬送路２０３ａとの間を接続する紙幣の接続搬送路２０３ｂがそれぞれ形成されている。周回搬送路２０３ａの右側部分には、そこを通過する紙幣の金種等を識別するための紙幣識別センサ２０１が設けられている。なお、周回搬送路２０３ａと各接続搬送路２０３ｂとの間で紙幣の搬送経路を切り換える経路切換手段（図示せず）が、周回搬送路２０３ａに沿って配置されている。
【００３５】
図１および図２に示すように、筐体２１０の前面には、繰込ユニット２０２に対応した紙幣受入口２１４と、放出ユニット２０８に対応した紙幣取出口２１６と、鍵スイッチｂ２（図２）とが設けられている。回収カセット２０７は、筐体２１０に対して着脱自在に取り付けられている。また、筐体２１０の前部上面に操作・表示部２１２（図２）が設けられている。その操作・表示部２１２には、手動スイッチｂ１（例えばリセットキー）が配置されている。
【００３６】
図１において、繰込ユニット２０２は、受入口２１４に挿入された入金紙幣を導入して、それらの紙幣を周回搬送路２０３ａ側へ繰り出すためのものである。また、各紙幣収納部２０６は、識別センサ２０１による識別結果に応じて紙幣を金種別に収納するためのものであり、通常は千円紙幣用、２千円／５千円紙幣（混合）用および万円紙幣用の３つの収納部に分けて用いられる。そして、放出ユニット２０８は、各収納部２０６から取り出された紙幣を取出口２１６より放出し、それらの紙幣を外部への抜き取りに供するためのものである。
【００３７】
出金リジェクト部２０４は、後述する「出金リジェクト紙幣」を収納するためのものである。また、回収カセット２０７は、各収納部２０６から回収した紙幣を収納するためのものである。この回収カセット２０７は、後述する「オーバーフロー紙幣」を収納するためにも用いられる。なお、上記放出ユニット２０８は、後述する「入金リジェクト紙幣」が放出される入金リジェクト部をも兼ねている。
【００３８】
以上の繰込ユニット２０２、各収納部２０６、放出ユニット２０８、出金リジェクト部２０４および回収カセット２０７等の具体的な構成としては周知ないし公知のものを用いることができるので、詳細な説明は省略する。
【００３９】
［動  作］
次に、硬貨釣銭機１Ａおよび紙幣釣銭機１Ｂにおける、通常の釣銭出金モードでの基本動作と、預り金返却モード特有の動作について順次説明する。
【００４０】
（１）硬貨釣銭機の基本動作
(1-1) 入金／リジェクト動作
図１において、受入口１１４に投入された硬貨は、繰入機構１０２によって一層一列状態で繰り入れられる。繰り入れられた硬貨（受入硬貨）は、硬貨搬送路１０３に沿って搬送されて行き、その途中で、識別センサ１０１によって金種等を識別される。
【００４１】
その結果、金種識別等のできない硬貨があった場合、その硬貨は「リジェクト硬貨」として硬貨排出部１０９で排出され、機内収納箱１０４に収納される。また、硬貨収納部１０６が満杯となっている金種であると識別された硬貨も、「オーバーフロー硬貨」として硬貨排出部１０９で排出され、機内収納箱１０４に収納される。なお、場合によっては、硬貨排出部１０９で排出されたリジェクト硬貨等を、取出口１１６に放出するようにしてもよい。
【００４２】
その他の硬貨は、金種選別部１０５で選別され、硬貨収納部１０６に金種別に収納される。この選別の過程において、選別部１０５に設けられた計数センサ（図示せず）によって入金硬貨が計数され、これに基づいて入金額が算出される。
【００４３】
(1-2) 出金／回収動作
硬貨釣銭機は、出金すべき釣銭硬貨を、金種別の硬貨収納部１０６から繰出機構１０８によって選択的に繰り出す。繰り出された硬貨は、それぞれ取出口１１６に放出される。
【００４４】
また、例えば、１日の営業が終了して、収納部１０６内の硬貨を全て、或いは売上金相当額だけ回収したい場合等にも、それらの硬貨を繰出機構１０８によって収納部１０６から繰り出して取出口１１６に放出することができる。
【００４５】
（２）紙幣釣銭機の基本動作
(2-1) 入金動作
図１において、受入口２１４に挿入された紙幣は、繰込ユニット２０２から接続搬送路２０３ｂを通じて周回搬送路２０３ａへ１枚ずつ繰り出される。周回搬送路２０３ａへ繰り出された紙幣（受入紙幣）は、当該搬送路２０３ａに沿って反時計回り方向に搬送される。周回搬送路２０３ａを搬送される紙幣は、１周する間に識別センサ２０１によって金種を識別され、対応する金種の収納部２０６に収納される。
【００４６】
(2-2) 出金動作
紙幣釣銭機は、出金すべき釣銭紙幣の額に応じて、以下に例示するような出金動作を行う。
【００４７】
(2-2-1) 出金額３千円（１千円）の場合
この場合、千円紙幣用の収納部２０６から繰り出された３枚（１枚）の千円紙幣が、接続搬送路２０３ｂを通じて周回搬送路２０３ａへ１枚ずつ（１枚だけ）繰り出される。周回搬送路２０３ａへ繰り出された紙幣は、周回搬送路２０３ａに沿って時計回り方向に搬送され、識別センサ２０１による金種識別を受けることなく、紙幣放出ユニット２０８へ送り込まれる。放出ユニット２０８は、３枚（１枚）の千円紙幣が送り込まれた時点で、当該紙幣を束の状態で（１枚の場合はそのまま）取出口２１６から外部へ突出させるように放出する。
【００４８】
(2-2-2) 出金額７千円の場合
この場合、まず２千円／５千円紙幣用の収納部２０６から最初の紙幣１枚だけが繰り出され、周回搬送路２０３ａに沿って時計回り方向に搬送される。この紙幣は、周回搬送路２０３ａを１周以上する間に識別センサ２０１による金種識別を受けた上で、上記(2-2-1)の場合と同様にして放出ユニット２０８へ送り込まれる。
【００４９】
最初の紙幣の金種が５千円であった場合は、残りの２千円分として千円紙幣用の収納部２０６から千円紙幣が２枚繰り出され、上記(2-2-1)の場合と同様、金種識別を経ることなく放出ユニット２０８へ送り込まれる。
【００５０】
次に、最初の紙幣の金種が２千円であった場合は、２千円／５千円紙幣用の収納部２０６から２番目の紙幣１枚だけが繰り出され、周回搬送路２０３ａにおいて金種識別を受ける。この２番目の紙幣の金種が５千円であった場合は、その５千円紙幣が放出ユニット２０８へ送り込まれ、出金動作が完了する。一方、２番目の紙幣の金種が２千円であった場合は、この２千円紙幣が放出ユニット２０８へ送り込まれると共に、残りの３千円分として千円紙幣用の収納部２０６から千円紙幣が３枚繰り出され、金種識別を経ることなく放出ユニット２０８へ送り込まれる。
【００５１】
なお、放出ユニット２０８へ送り込まれた紙幣は、いずれも上記(2-2-1)の場合と同様にして、取出口２１６から外部へ放出される。
【００５２】
(2-3) 回収動作
例えば、１日の営業が終了して、収納部２０６内の紙幣を全て、或いは売上金相当額だけ回収したい場合等には、収納部２０６から繰り出された紙幣を順次、周回搬送路２０３ａから接続搬送路２０３ｂを通じて紙幣回収カセット２０７に収納することができる。なお、いずれかの収納部２０６が満杯であるにも拘わらず、対応する金種の紙幣が更に受け入れられた場合、その紙幣は「オーバーフロー紙幣」として、周回搬送路２０３ａから接続搬送路２０３ｂを通じて回収カセット２０７に収納される。
【００５３】
(2-4) リジェクト動作
受入紙幣の中に汚損等により識別センサ２０１による金種識別のできない紙幣があった場合、その紙幣は「入金リジェクト紙幣」として、周回搬送路２０３ａから接続搬送路２０３ｂを通じて紙幣放出ユニット２０８へ送り込まれる。また、収納部２０６から繰り出された紙幣の中に斜行等により識別センサ２０１による金種識別のできない紙幣があった場合、その紙幣は「出金リジェクト紙幣」として、周回搬送路２０３ａから接続搬送路２０３ｂを通じて出金リジェクト部２０４へ送り込まれる。
【００５４】
（３）預り金返却モード特有の動作
硬貨釣銭機１Ａおよび紙幣釣銭機１Ｂにおける預り金返却モード特有の動作は、次の通りである。
【００５５】
各釣銭機１Ａ，１Ｂの制御ユニットＣ１，Ｃ２において、受入部１１４，２１４からの預り金貨幣の投入後でデータ処理機Ｔの制御ユニットＣ３から出金指示が送信されてくる前にデータ処理機Ｔの制御ユニットＣ３との通信が途絶えたとき（預り金投入後の通信途絶時）に「預り金返却モード」が起動される。
【００５６】
この返却モードにおいて、各釣銭機１Ａ，１Ｂの手動スイッチａ１，ｂ１と鍵スイッチａ２，ｂ２の両者の操作があった場合、それを返却条件として、預り金データに基づく預り金貨幣の総額と同額分の返却貨幣が放出部１１６，２１６より放出される。この返却貨幣の放出後、各釣銭機１Ａ，１Ｂの制御ユニットＣ１，Ｃ２に記憶されていた当該返却貨幣に対応する預り金データが消去される。
【００５７】
［作用効果］
次に、以上のように構成された本実施形態の代金決済システムの作用効果について説明する。
【００５８】
本実施形態の代金決済システムによれば、預り金投入後の通信途絶時には、預り金返却モードにおいて、預り金データに基づく預り金貨幣の総額と同額分の返却貨幣を貨幣釣銭機１Ａ，１Ｂの放出部１１６，２１６より放出させ、これを顧客に返却することができる。これにより、入金確定モードで運用される代金決済システムにおいて、預り金投入後の通信途絶時に、顧客に対して預り金貨幣を実質的に返却可能とすることができる。
【００５９】
また、本実施形態では、預り金返却モードにおいて、各釣銭機１Ａ，１Ｂの手動スイッチａ１，ｂ１と鍵スイッチａ２，ｂ２の両者の操作があったことを返却条件としている。このため、鍵スイッチａ２，ｂ２用の鍵を特定の上位管理者の管理下に置くなどすることで、返却貨幣を放出させるための操作をより厳格に管理することができる。
【００６０】
［変形例］
（１）上記実施形態において、硬貨釣銭機１Ａと紙幣釣銭機１Ｂとをそれぞれ別体で構成した場合について説明したが、これらを合体させて一体型の貨幣釣銭機として構成してもよい。また、硬貨釣銭機１Ａまたは紙幣釣銭機１Ｂのいずれか一方のみを、貨幣釣銭機として用いるようにしてもよい。
【００６１】
（２）上記実施形態では、預り金返却モードにおいて、各釣銭機１Ａ，１Ｂのスイッチａ１，ａ２；ｂ１，ｂ２の操作があったことを返却条件としたが、本発明はこれに限定されない。例えば、預り金返却モードにおいて、上記通信の途絶えた状態が所定時間継続したことを返却条件としてもよい。これにより、係員や管理者の手を煩わせることなく、返却貨幣を自動的に放出させることができる。
【図面の簡単な説明】
【００６２】
【図１】本発明による代金決済システムの一実施形態を示すブロック図。
【図２】図１に示したシステムにおける貨幣釣銭機としての硬貨釣銭機および紙幣釣銭機の外観を示す斜視図。
【符号の説明】
【００６３】
１Ａ  硬貨釣銭機（貨幣釣銭機）
１０１  硬貨識別センサ（貨幣識別手段）
１０２  硬貨繰入機構
１０３  硬貨搬送路
１０５  金種選別部
１０６  硬貨収納部（貨幣収納部）
１０８  硬貨繰出機構
１０９  硬貨排出部
１１０  筐体
１１２  操作・表示部
ａ１  手動スイッチ
ａ２  鍵スイッチ
１１４  硬貨受入口（貨幣受入部）
１１６  硬貨取出口（貨幣放出部）
Ｃ１  制御ユニット（釣銭機制御部）
１Ｂ  紙幣釣銭機（貨幣釣銭機）
２０１  紙幣識別センサ（貨幣識別手段）
２０２  紙幣繰込ユニット
２０３ａ  周回搬送路
２０３ｂ  接続搬送路
２０４  出金リジェクト部
２０６  紙幣収納部（貨幣収納部）
２０７  紙幣回収カセット
２０８  紙幣放出ユニット
２１０  筐体
１１２  操作・表示部
ｂ１  手動スイッチ
ｂ２  鍵スイッチ
２１４  紙幣受入口（貨幣受入部）
２１６  紙幣取出口（貨幣放出部）
Ｃ２  制御ユニット（釣銭機制御部）
Ｔ  販売データ処理機（ＰＯＳレジスタ）
ｔ１  操作部
ｔ２  表示部
Ｃ３  制御ユニット（処理機制御部）
【図１】
2007219916.tif 000003
【図２】
2007219916.tif 000004